(57)【特許請求の範囲】
【請求項１】
第１の信号線と第２の信号線とを含む複数の信号線を有するコネクタと、
第１の規格に従う通信を前記第１の信号線と前記第２の信号線とを介して行うための第１の通信手段と、
第２の規格に従う通信を前記第１の信号線と前記第２の信号線とを介して行うための第２の通信手段と、
前記第１の信号線と前記第２の信号線とを前記第１の通信手段に使用させるか、前記第１の信号線と前記第２の信号線とを前記第２の通信手段に使用させるかのいずれか一方を選択するための制御手段と
を有し、
前記複数の信号線は、ＣＥＣに準拠したコマンドを送信するための第３の信号線を含み、
前記第１の信号線と前記第２の信号線とを前記第２の通信手段に使用させることが選択された場合、前記制御手段は、前記第１の信号線と前記第２の信号線とを前記第２の通信手段に使用させるようにするためのコマンドである第１のコマンドを前記第３の信号線を介して外部装置に送信し、
前記第１の信号線と前記第２の信号線とを前記第１の通信手段に使用させることが選択された場合、前記制御手段は、前記第１の信号線と前記第２の信号線とを前記第１の通信手段に使用させるようにするためのコマンドである第２のコマンドを前記第３の信号線を介して前記外部装置に送信する
ことを特徴とする通信デバイス。
【請求項２】
前記第１の信号線と前記第２の信号線とは、前記第１の規格におけるＤＤＣ通信に用いられる信号線に対応することを特徴とする請求項１に記載の通信デバイス。
【請求項３】
前記第１の信号線は、前記第１の規格におけるＳＣＬ信号線に対応し、前記第２の規格におけるＤ＋信号線に対応することを特徴とする請求項１または２に記載の通信デバイス。
【請求項４】
前記第２の信号線は、前記第１の規格におけるＳＤＡ信号線に対応し、前記第２の規格におけるＤ−信号線に対応することを特徴とする請求項１から３のいずれか１項に記載の通信デバイス。
【請求項５】
前記複数の信号線は、第４の信号線を含み、
前記第４の信号線は、前記第１の規格におけるグランド線に対応し、前記第２の規格におけるグランド線に対応することを特徴とする請求項１から４のいずれか１項に記載の通信デバイス。
【請求項６】
前記第１のコマンドを前記外部装置から受信した場合、前記制御手段は、前記第１の信号線と前記第２の信号線とを前記第２の通信手段に使用させるようにすることを特徴とする請求項１から５のいずれか１項に記載の通信デバイス。
【請求項７】
前記第２のコマンドを前記外部装置から受信した場合、前記制御手段は、前記第１の信号線と前記第２の信号線とを前記第１の通信手段に使用させるようにすることを特徴とする請求項１から６のいずれか１項に記載の通信デバイス。
【請求項８】
前記第１の規格はＨＤＭＩ規格に対応し、前記第２の規格はＵＳＢ規格に対応することを特徴とする請求項１から７のいずれか１項に記載の通信デバイス。
【請求項９】
前記通信デバイスは、ＨＤＭＩ規格におけるシンクとして動作し、ＵＳＢ規格におけるホストとして動作することを特徴とする請求項１から８のいずれか１項に記載の通信デバイス。
【請求項１０】
前記通信デバイスは、ＨＤＭＩ規格におけるソースとして動作し、ＵＳＢ規格におけるデバイスとして動作することを特徴とする請求項１から９のいずれか１項に記載の通信デバイス。
【請求項１１】
第１の信号線と第２の信号線とを含む複数の信号線を有するコネクタと、
第１の規格に従う通信を前記第１の信号線と前記第２の信号線とを介して行うための第１の通信手段と、
第２の規格に従う通信を前記第１の信号線と前記第２の信号線とを介して行うための第２の通信手段と、
前記第１の信号線と前記第２の信号線とを前記第１の通信手段に使用させるか、前記第１の信号線と前記第２の信号線とを前記第２の通信手段に使用させるかのいずれか一方を選択するための制御手段と
を有し、
前記複数の信号線は、第３の信号線を含み、
前記第１の信号線と前記第２の信号線とを前記第２の通信手段に使用させることが選択された場合、前記制御手段は、前記第１の信号線と前記第２の信号線とを前記第２の通信手段に使用させるようにするために前記第３の信号線をアサートし、
前記第１の信号線と前記第２の信号線とを前記第１の通信手段に使用させることが選択された場合、前記制御手段は、前記第１の信号線と前記第２の信号線とを前記第１の通信手段に使用させるようにするために前記第３の信号線をネゲートする
ことを特徴とする通信デバイス。
【請求項１２】
前記第１の信号線と前記第２の信号線とは、前記第１の規格におけるＤＤＣ通信に用いられる信号線に対応することを特徴とする請求項１１に記載の通信デバイス。
【請求項１３】
前記第１の信号線は、前記第１の規格におけるＳＣＬ信号線に対応し、前記第２の規格におけるＤ＋信号線に対応することを特徴とする請求項１１または１２に記載の通信デバイス。
【請求項１４】
前記第２の信号線は、前記第１の規格におけるＳＤＡ信号線に対応し、前記第２の規格におけるＤ−信号線に対応することを特徴とする請求項１１から１３のいずれか１項に記載の通信デバイス。
【請求項１５】
前記複数の信号線は、第４の信号線を含み、
前記第４の信号線は、前記第１の規格におけるグランド線に対応し、前記第２の規格におけるグランド線に対応することを特徴とする請求項１１から１４のいずれか１項に記載の通信デバイス。
【請求項１６】
前記第３の信号線が外部装置によってアサートされた場合、前記制御手段は、前記第１の信号線と前記第２の信号線とを前記第２の通信手段に使用させるようにすることを特徴とする請求項１１から１５のいずれか１項に記載の通信デバイス。
【請求項１７】
前記第３の信号線が外部装置によってネゲートされた場合、前記制御手段は、前記第１の信号線と前記第２の信号線とを前記第１の通信手段に使用させるようにすることを特徴とする請求項１１から１５のいずれか１項に記載の通信デバイス。
【請求項１８】
前記複数の信号線は、第５の信号線を含み、
前記第５の信号線は、前記第２の規格における電力供給線に対応することを特徴とする請求項１１から１７のいずれか１項に記載の通信デバイス。
【請求項１９】
前記第１の規格はＨＤＭＩ規格に対応し、前記第２の規格はＵＳＢ規格に対応することを特徴とする請求項１１から１８のいずれか１項に記載の通信デバイス。
【請求項２０】
前記通信デバイスは、ＨＤＭＩ規格におけるシンクとして動作し、ＵＳＢ規格におけるホストとして動作することを特徴とする請求項１１から１９のいずれか１項に記載の通信デバイス。
【請求項２１】
前記通信デバイスは、ＨＤＭＩ規格におけるソースとして動作し、ＵＳＢ規格におけるデバイスとして動作することを特徴とする請求項１１から２０のいずれか１項に記載の通信デバイス。
【発明の詳細な説明】
【技術分野】
【０００１】
本発明は、第１の規格に従う通信と第２の規格に従う通信とを行うことができる通信デバイスに関する。
【背景技術】
【０００２】
近年、デジタルテレビ（ＤＴＶ）等の映像機器のための通信インタフェース（Ｉ／Ｆ）として、デジタルハイビジョン伝送が可能なＨｉｇｈ−Ｄｅｆｉｎｉｔｉｏｎ  Ｍｕｌｔｉｍｅｄｉａ  Ｉｎｔｅｒｆａｃｅ（ＨＤＭＩ）が一般的になりつつある。ＨＤＭＩは、主として映像伝送のために使用され、映像信号に加えて音声信号を１本のケーブルで伝送することが可能である。ＨＤＭＩはまた、Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ（ＨＤＣＰ）と呼ばれる著作権保護の仕組みも備える。
【０００３】
ＨＤＭＩ規格のｖｅｒ１．３では、デジタルカメラ等の機器への接続を想定し、ｔｙｐｅＣと呼ばれる小型コネクタも規定されており、今後はより多くの映像機器への実装が予想される。
【０００４】
一方、ファイル単位等でのデータ送受信用の通信Ｉ／Ｆとしては、Ｕｎｉｖｅｒｓａｌ  Ｓｅｒｉａｌ  Ｂｕｓ（ＵＳＢ）が用いられることが多い。パーソナルコンピュータ（ＰＣ）は、通常、ＵＳＢ端子を備えており、また、ＵＳＢ端子を備えるＤＴＶも増えてきている。
【０００５】
しかしながら、映像伝送のためにはＨＤＭＩを利用し、ファイル単位等でのデータ送受信のためにはＵＳＢを利用するように、用途によって通信Ｉ／Ｆを使い分けるのはユーザにとって煩雑である。また、一般的なＤＴＶは多くの入出力端子を持つため、ＨＤＭＩケーブルやＵＳＢケーブルを使い分けて接続することはユーザの混乱を招く要因ともなっている。更に、ＨＤＭＩ及びＵＳＢの双方を実装するとコネクタ実装面積が増大するが、これは、デジタルカメラのような小型で高密度な実装が求められる機器にとっては好ましくない。
【０００６】
従来、複数のＩ／Ｆを利用可能な例として、複数のＩ／Ｆを持つメモリカードの提案が複数なされている。例えば、特許文献１では、ＵＳＢ及びＳｅｃｕｒｅ  Ｄｉｇｉｔａｌ（ＳＤ）等の複数のＩ／Ｆに同時に対応可能とし、接続先に応じていずれかの規格に対応して信号線を切り替えて使用可能なメモリカードが提案されている。
【特許文献１】特開２００４−２８８１４１号公報
【発明の開示】
【発明が解決しようとする課題】
【０００７】
しかしながら、上述した従来の技術では、複数のＩ／Ｆを同時に使用することはできない。そのため、ＨＤＭＩ規格で映像を伝送しながら同時にＵＳＢ規格でファイルを転送するようなことはできない。ＨＤＭＩ規格は映像伝送のために用いられ、例えば、ＤＴＶで映画を鑑賞するために用いられる。そのため、ＨＤＭＩ規格とＵＳＢ規格とを同時に使用できない場合、例えばＵＳＢ規格でファイルを転送することが原因で、鑑賞中の映画の映像が途絶えてしまうという問題が発生する。
【０００８】
本発明はこのような状況に鑑みてなされたものであり、１つのコネクタを第１の規格に従う通信と第２の規格に従う通信とに使用できるようにすることを目的とする。
【課題を解決するための手段】
【０００９】
本発明に係る通信デバイスの一つは、第１の信号線と第２の信号線とを含む複数の信号線を有するコネクタと、第１の規格に従う通信を前記第１の信号線と前記第２の信号線とを介して行うための第１の通信手段と、第２の規格に従う通信を前記第１の信号線と前記第２の信号線とを介して行うための第２の通信手段と、前記第１の信号線と前記第２の信号線とを前記第１の通信手段に使用させるか、前記第１の信号線と前記第２の信号線とを前記第２の通信手段に使用させるかのいずれか一方を選択するための制御手段とを有し、前記複数の信号線は、ＣＥＣに準拠したコマンドを送信するための第３の信号線を含み、前記第１の信号線と前記第２の信号線とを前記第２の通信手段に使用させることが選択された場合、前記制御手段は、前記第１の信号線と前記第２の信号線とを前記第２の通信手段に使用させるようにするためのコマンドである第１のコマンドを前記第３の信号線を介して外部装置に送信し、前記第１の信号線と前記第２の信号線とを前記第１の通信手段に使用させることが選択された場合、前記制御手段は、前記第１の信号線と前記第２の信号線とを前記第１の通信手段に使用させるようにするためのコマンドである第２のコマンドを前記第３の信号線を介して前記外部装置に送信することを特徴とする。
【００１０】
本発明に係る通信デバイスの一つは、第１の信号線と第２の信号線とを含む複数の信号線を有するコネクタと、第１の規格に従う通信を前記第１の信号線と前記第２の信号線とを介して行うための第１の通信手段と、第２の規格に従う通信を前記第１の信号線と前記第２の信号線とを介して行うための第２の通信手段と、前記第１の信号線と前記第２の信号線とを前記第１の通信手段に使用させるか、前記第１の信号線と前記第２の信号線とを前記第２の通信手段に使用させるかのいずれか一方を選択するための制御手段とを有し、前記複数の信号線は、第３の信号線を含み、前記第１の信号線と前記第２の信号線とを前記第２の通信手段に使用させることが選択された場合、前記制御手段は、前記第１の信号線と前記第２の信号線とを前記第２の通信手段に使用させるようにするために前記第３の信号線をアサートし、前記第１の信号線と前記第２の信号線とを前記第１の通信手段に使用させることが選択された場合、前記制御手段は、前記第１の信号線と前記第２の信号線とを前記第１の通信手段に使用させるようにするために前記第３の信号線をネゲートすることを特徴とする。
【発明の効果】
【００１３】
本発明によれば、１つのコネクタを第１の規格に従う通信と第２の規格に従う通信とに使用することが可能となる。
【発明を実施するための最良の形態】
【００１４】
以下、添付図面を参照して、本発明の実施形態を説明する。以下で説明される個別の実施形態は、本発明の上位概念から下位概念までの種々の概念を理解するために役立つであろう。
【００１５】
なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１６】
［第１の実施形態］
図１は、第１の実施形態に係る通信デバイスとしての、デジタルカメラ１０１及びテレビ（ＴＶ）１１０の構成を示すブロック図である。本実施形態において、デジタルカメラ１０１は、ＨＤＭＩ規格のソースとして動作し、また、ＵＳＢ規格のデバイス（ペリフェラル）として動作する。また、ＴＶ１１０は、ＨＤＭＩ規格のシンクとして動作し、ＵＳＢ規格のホストとして動作する。
【００１７】
なお、本実施形態では、ＨＤＭＩ規格（第１規格）とＵＳＢ規格（第２規格）との、２つの規格に従う通信を行う通信デバイスについて説明するが、ＨＤＭＩ規格及びＵＳＢ規格は一例であり、これら以外の規格に本実施形態を適用してもよい。
【００１８】
デジタルカメラ１０１は、撮影を行うカメラ部１０２と、音声の取得を行うマイクロフォン部１０３と、撮影した画像データの記録や再生を行う記録再生部１０４とを備える。デジタルカメラ１０１はまた、映像及び音声をＴＭＤＳ通信チャネルを介して送信するＨＤＭＩトランスミッタ１０８と、記録された映像及び音声をＨＤＭＩトランスミッタ１０８から伝送可能な形態へと変換処理する映像音声処理部１０５とを備える。デジタルカメラ１０１は更に、各種制御を行うＣＰＵ１０６と、ＵＳＢデバイス制御部１０７とを備える。
【００１９】
デジタルカメラ１０１は、ＨＤＭＩ規格に従う通信Ｉ／Ｆを備えるので、ＴＭＤＳ通信チャネルのための信号線、ＣＥＣ通信チャネルのための信号線、及びＤＤＣ通信チャネルのための信号線を備える。デジタルカメラ１０１は、ＤＤＣ通信チャネルのための信号線を、必要に応じてＵＳＢ規格に従うデータ通信のために使用することにより、ＴＭＤＳ通信チャネルを介した映像及び音声の伝送（ＨＤＭＩ規格の通信）と、ＵＳＢ規格の通信とを同時に実現する。そこで、デジタルカメラ１０１は、ＤＤＣ通信チャネルのための信号線を、ＵＳＢ規格のデータ信号線（Ｄ＋，Ｄ−）として使用するか、ＨＤＭＩ規格のＤＤＣ制御線（ＳＣＬ，ＳＤＡ）として使用するかを切り替える、セレクタ１０９を備える。
【００２０】
本願では、デジタルカメラ１０１において、ＨＤＭＩ規格に従う通信を行う要素を第１通信部と呼び、ＵＳＢ規格に従う通信を行う要素を第２通信部と呼ぶ（ＴＶ１１０においても同様）。
【００２１】
ＴＶ１１０は、映像を表示する表示部１１６と、音声を出力するスピーカ部１１７と、映像及び音声をＴＭＤＳ通信チャネルを介して受信するＨＤＭＩレシーバ１１１と、ＵＳＢホスト制御部１１５とを備える。ＴＶ１１０はまた、ＨＤＭＩレシーバを介して受信した映像及び音声を処理する映像音声処理部１１３と、各種制御を行うＣＰＵ１１８と、ＴＶ１１０の構成や出力可能な解像度等の情報が格納されているメモリであるＥＤＩＤ  ＲＯＭ１１４とを備える。
【００２２】
ＴＶ１１０はまた、デジタルカメラ１０１と同様、ＤＤＣ通信チャネルのための信号線を、ＵＳＢ規格のデータ信号線（Ｄ＋，Ｄ−）として使用するか、ＨＤＭＩ規格のＤＤＣ制御線（ＳＣＬ，ＳＤＡ）として使用するかを切り替える、セレクタ１１２を備える。
【００２３】
デジタルカメラ１０１とＴＶ１１０とは複合ＨＤＭＩケーブル１１９で接続されている。複合ＨＤＭＩケーブル１１９のピンの割り当て（ピンアサイン）を、図２乃至図４を参照して説明する。
【００２４】
図２は、ＨＤＭＩ規格のｔｙｐｅＡコネクタに基づく複合ＨＤＭＩケーブル１１９のピンアサインを示す図である。図２に示すように、本実施形態では、ＳＣＬ信号線のためのピン１５をＵＳＢ規格のデータ信号線Ｄ＋、ＳＤＡ信号線のためのピン１６をＵＳＢ規格のデータ信号線Ｄ−として共用する。また、ＤＤＣとＣＥＣのＧｒｏｕｎｄ線であるピン１７をＵＳＢ規格のＧｒｏｕｎｄ線（ＧＮＤ）として共用する。また、ＵＳＢ規格の電力線であるＶＢＵＳは信号線としては設けず、後述するＨＤＭＩ規格のＣＥＣ制御線で代用する。
【００２５】
ピン１３に割り当てられるＣＥＣ制御線は、Ｃｏｎｓｕｍｅｒ  Ｅｌｅｃｔｒｏｎｉｃｓ  Ｃｏｎｔｒｏｌと呼ばれる制御線であり、コマンドを送ることでＨＤＭＩ接続を通して他の機器を操作するような用途で用いられる。具体的には、例えば、ＴＶとＨＤＤレコーダとをＨＤＭＩケーブルで接続し、ＴＶのリモコンでＨＤＤレコーダを操作するような場合に、ＣＥＣ制御線を介してＴＶからＨＤＤレコーダへ制御コマンドが送信される。また、ＨＤＭＩ規格によれば、ＣＥＣ制御線による制御のために複数の制御コマンドが規定されているが、機器ベンダによる拡張が可能である。そこで、ＤＤＣ通信チャネルのための信号線（ピン１５及びピン１６）を、ＵＳＢ規格のデータ信号線（Ｄ＋，Ｄ−）として使用するか、ＨＤＭＩ規格のＤＤＣ制御線（ＳＣＬ，ＳＤＡ）として使用するかを切り替えるために、ＣＥＣ制御線を使用する。
【００２６】
具体的には、「ＵＳＢ利用要求コマンド（第１切替指示）」と「ＵＳＢ停止要求コマンド（第２切替指示）」とを、ＣＥＣ制御規格の拡張として定義し、切り替えの制御に使用する。「ＵＳＢ利用要求コマンド」および「ＵＳＢ停止要求コマンド」はＣＥＣの規格に違反しない限り、どのように定義してもよい。
【００２７】
また、図３に示すように、ＨＤＭＩ規格のｔｙｐｅＢコネクタに基づく複合ＨＤＭＩケーブル１１９を使用してもよい。この場合、ピン２５をＤ＋、ピン２６をＤ−、ピン２７をＧＮＤとし、ピン２２のＣＥＣで切り替え制御を行う。更に、図４に示すように、ＨＤＭＩ規格のｔｙｐｅＣコネクタに基づく複合ＨＤＭＩケーブル１１９を使用してもよい。この場合、ピン１５をＤ＋、ピン１６をＤ−、ピン１３をＧＮＤとし、ピン１４のＣＥＣで切り替え制御を行う。
【００２８】
図５は、ＤＤＣ通信チャネルのための信号線を、ＨＤＭＩ規格による使用からＵＳＢ規格による使用へ切り替える処理の流れを示すフローチャートである。本フローチャートの処理は、ＵＳＢホストであるＴＶ１１０が、ユーザなどからＵＳＢの利用要求を受け付けると、開始する。
【００２９】
Ｓ１１で、ＴＶ１１０のＣＰＵ１１８は、ＤＤＣ通信チャネルを介した通信が行われているか（通信を実行中か）否かを判定する。通信中の場合、通信が終了するまで待つ。ＤＤＣ制御は、デジタルカメラ１０１がＴＶ１１０の解像度等の情報をＥＤＩＤ  ＲＯＭ１１４から得るために主として使用され、通常は機器の接続時や解像度の変更時にのみ使用されるため、使用頻度は低い。そのため、ＵＳＢの利用要求が長時間待たされる可能性は低い。ＤＤＣ通信チャネルを介した通信が行われていなければ、Ｓ１２に進む。
【００３０】
Ｓ１２で、ＣＰＵ１１８は、拡張ＣＥＣコマンドとして「ＵＳＢ利用要求コマンド」をデジタルカメラ１０１へＣＥＣ制御線を通して送信する。
【００３１】
「ＵＳＢ利用要求コマンド」の送信後、Ｓ１３で、ＣＰＵ１１８はセレクタ１１２を制御し、ＤＤＣ通信チャネルのための信号線を、ＨＤＭＩ規格による使用からＵＳＢ規格による使用へ切り替える。この段階で、ＴＶ１１０は、ＵＳＢ規格に従う通信を実行可能な状態となる。
【００３２】
一方、デジタルカメラ１０１のＣＰＵ１０６は、Ｓ１４で、Ｓ１２で送信された「ＵＳＢ利用要求コマンド」を受信するまで待つ。
【００３３】
「ＵＳＢ利用要求コマンド」を受信すると、Ｓ１５で、ＣＰＵ１０６はセレクタ１０９を制御し、ＤＤＣ通信チャネルのための信号線を、ＨＤＭＩ規格による使用からＵＳＢ規格による使用へ切り替える。この段階で、デジタルカメラ１０１も、ＵＳＢ規格に従う通信を実行可能な状態となる。
【００３４】
以降は通常のＵＳＢ規格に従って、ＴＶ１１０とデジタルカメラ１０１とは相互に通信を行うことができる。
【００３５】
図６は、ＤＤＣ通信チャネルのための信号線を、ＵＳＢ規格による使用からＨＤＭＩ規格による使用へ切り替える処理の流れを示すフローチャートである。即ち、図６は、図５とは逆の処理を示す。
【００３６】
Ｓ２１で、ＴＶ１１０のＣＰＵ１１８は、ＵＳＢ規格に従う通信が完全に終了するまで待ち、通信の終了後、Ｓ２２へ進む。
【００３７】
Ｓ２２で、ＣＰＵ１１８は、「ＵＳＢ停止要求コマンド」をデジタルカメラ１０１へＣＥＣ制御線を通して送信する。
【００３８】
「ＵＳＢ停止要求コマンド」の送信後、Ｓ２３で、ＣＰＵ１１８はセレクタ１１２を制御し、ＤＤＣ通信チャネルのための信号線を、ＵＳＢ規格による使用からＨＤＭＩ規格による使用へ切り替える。この段階で、ＴＶ１１０は、ＵＳＢ規格に従う通信が実行不可能になり、ＨＤＭＩ規格に従うＤＤＣ通信チャネルを介した通信が可能になる。
【００３９】
一方、デジタルカメラ１０１のＣＰＵ１０６は、Ｓ２４で、Ｓ２２で送信された「ＵＳＢ停止要求コマンド」を受信まで待つ。
【００４０】
「ＵＳＢ停止要求コマンド」を受信すると、ＣＰＵ１０６はセレクタ１０９を制御し、ＤＤＣ通信チャネルのための信号線を、ＵＳＢ規格による使用からＨＤＭＩ規格による使用へ切り替える。この段階で、デジタルカメラ１０１も、ＵＳＢ規格に従う通信が実行不可能になり、ＨＤＭＩ規格に従うＤＤＣ通信チャネルを介した通信が可能になる。
【００４１】
このように、ＴＶ１１０及びデジタルカメラ１０１は、ＣＥＣ制御線をＵＳＢの利用要求及び停止要求のために利用する。即ち、ＣＥＣ制御線の制御コマンドを、ＵＳＢのＶＢＵＳ信号のＯＮ／ＯＦＦとして代用し、「ＵＳＢ利用要求コマンド」発行後、「ＵＳＢ停止要求コマンド」が発行されるまで、ＶＢＵＳがＯＮであるものと見なす。
【００４２】
なお、ＴＶ１１０とデジタルカメラ１０１とのいずれかの電源投入直後、もしくは複合ＨＤＭＩケーブル１１９による接続直後は、セレクタ１０９及び１１２はＨＤＭＩ規格のための通信部を選択した状態であるとする。これにより、複合ＨＤＭＩケーブル１１９に対応していない機器は、従来通り、ＨＤＭＩ規格に従う通信が可能である。
【００４３】
上述の構成により、ＨＤＭＩのＴＭＤＳ通信チャネルで映像及び音声を送受信しながら同時にＵＳＢ規格でデータを送受信することが可能となる。ＨＤＭＩの規格上、映像及び音声の送受信にはＴＭＤＳ通信チャネルを３チャネル使用するが、上述の拡張ＣＥＣコマンドは、ＴＭＤＳ通信チャネルによる映像及び音声の送信や制御を妨げない。
【００４４】
更に、上述の構成によれば、ＨＤＭＩ規格で使用しているＤＤＣ制御線のためのピンをＵＳＢ規格と共用し、切り替えるため、従来のＨＤＭＩコネクタをそのまま使用することが可能である。
【００４５】
また、ＰＣ（ＵＳＢホスト）にＵＳＢデバイスを接続することを考えると、映像はＵＳＢ機器からＰＣへ転送され、ＵＳＢデバイスの制御はＰＣが行うことが多い。これを本実施形態に適用すると、映像はデジタルカメラ１０１からＴＶ１１０へ転送され、デジタルカメラ１０１の制御はＴＶ１１０が行う。従って、一方の通信デバイスをＨＤＭＩソース且つＵＳＢデバイスとし、他方の通信デバイスをＨＤＭＩシンク且つＵＳＢホストとすることで、従来のＰＣを用いたＵＳＢデバイスの制御と互換性を保つことが可能となる。しかしながら、もちろん、一方の通信デバイスをＨＤＭＩソース且つＵＳＢホストとし、他方の通信デバイスをＨＤＭＩシンク且つＵＳＢデバイスとしても構わない。
【００４６】
なお、ＵＳＢの規格上はデータ線であるＤ＋、Ｄ−は２本の線をよりあわせたツイストペアケーブルである必要がある。また、ＵＳＢの規格としては１２Ｍｂｐｓ以上の通信速度に対応する場合はシールド付きのツイストペアケーブルＳＴＰ（Ｓｈｉｅｌｄｅｄ  Ｔｗｉｓｔｅｄ  Ｐａｉｒ）とする必要がある。そのため、図２のピン１５とピン１６、図３のピン２５とピン２６、図４のピン１５とピン１６は、シールド付きのツイストペアとする。ＨＤＭＩ規格のＳＣＬ信号線及びＳＤＡ信号線は低速の通信線であり、シールド付きのツイストペアである必要はないが、そうであっても通信機能に問題を生じることはない。
【００４７】
また、デジタルカメラ１０１やＴＶ１１０がＵＳＢの機能を具備していない場合にも複合ＨＤＭＩケーブル１１９は使用可能であり、通常通りＨＤＭＩ規格の通信を実行可能である。
【００４８】
以上説明したように、本実施形態によれば、通信デバイスとしてのデジタルカメラ１０１（及びＴＶ１１０）は、ＤＤＣ通信チャネルを介した通信を行う第１通信部と、ＤＤＣ通信チャネルのための信号線を介した通信を行う第２通信部とを備える。そして、ＣＰＵ及びセレクタが、ＤＤＣ通信チャネルのための信号線を使用させる通信部として、第１通信部と第２通信部とのうちのいずれか一方を選択する。
【００４９】
これにより、通信デバイスにおいて、通信Ｉ／Ｆのためのコネクタの肥大化を抑制しつつ、２つの規格に従う通信を同時に実行することが可能となる。
【００５０】
［第２の実施形態］
第１の実施形態では、ＣＥＣ制御線の制御コマンドを、ＵＳＢのＶＢＵＳ信号のＯＮ／ＯＦＦとして代用したが、第２の実施形態では、ＨＤＭＩ規格の予約された信号線（Ｒｅｓｅｒｖｅｄピン）をＶＢＵＳ信号線として使用する。これにより、後述する複合ＨＤＭＩケーブル２０８は、Ｒｅｓｅｒｖｅｄピンにもケーブルを接続する必要があるが、ＵＳＢバスパワーを利用することが可能になる。
【００５１】
図７は、第２の実施形態に係る通信デバイスとしての、デジタルカメラ２０１及びＴＶ２０７の構成を示すブロック図である。図７において、図１と同一の構成要素には同一の符号を付し、説明を省略する。
【００５２】
デジタルカメラ２０１は、Ｒｅｓｅｒｖｅｄピンの状態を検知可能なＵＳＢデバイス制御部２０２とセレクタ２０３とを備える。
【００５３】
ＴＶ２０７は、ＣＰＵ２０６の制御に従って状態が切り替わり、Ｒｅｓｅｒｖｅｄピンをアサート又はネゲートすることができるセレクタ２０５を備える。ＴＶ２０７はまた、セレクタ２０５の状態に応じて、ＤＤＣ通信チャネルのための信号線を、ＵＳＢ規格のデータ信号線（Ｄ＋，Ｄ−）として使用するか、ＨＤＭＩ規格のＤＤＣ制御線（ＳＣＬ，ＳＤＡ）として使用するかを切り替える、セレクタ２０４を備える。
【００５４】
デジタルカメラ２０１とＴＶ２０７とは複合ＨＤＭＩケーブル２０８で接続されている。複合ＨＤＭＩケーブル２０８のピンの割り当て（ピンアサイン）を、図８乃至図１０を参照して説明する。
【００５５】
図８は、ＨＤＭＩ規格のｔｙｐｅＡコネクタに基づく複合ＨＤＭＩケーブル２０８のピンアサインを示す図である。本実施形態では、ピン１５をＤ＋、ピン１６をＤ−、ピン１７をＧＮＤとして、ＨＤＭＩ規格のピンとＵＳＢ規格のピンとを共用する。また、ＨＤＭＩ規格ではＲｅｓｅｒｖｅｄとされているピン１４を、ＵＳＢ規格の電源であるＶＢＵＳとして使用する。また、ＨＤＭＩ規格ではＲｅｓｅｒｖｅｄピンは定義されているがデバイスに接続されないため、前述の通り、ピン１４によりデジタルカメラ２０１とＴＶ２０７とが接続されるように複合ＨＤＭＩケーブル２０８を構成する。
【００５６】
ＵＳＢ使用時には、ＣＰＵ２０６はセレクタ２０５を制御し、Ｒｅｓｅｒｖｅｄピンに５ボルト（５Ｖ）の電圧を印加する（即ち、Ｒｅｓｅｒｖｅｄピンをアサートする）。セレクタ２０３及びセレクタ２０４は、Ｒｅｓｅｒｖｅｄピンがアサートされると、ＤＤＣ通信チャネルのための信号線を、ＨＤＭＩ規格による使用からＵＳＢ規格による使用へ切り替える。ＵＳＢホスト制御部１１５及びＵＳＢデバイス制御部２０２は、Ｒｅｓｅｒｖｅｄピンがアサートされた状態を、擬似的にＵＳＢケーブルが挿入された状態と見なす。
【００５７】
また、図９に示すように、ＨＤＭＩ規格のｔｙｐｅＢコネクタに基づく複合ＨＤＭＩケーブル２０８を使用してもよい。この場合、ピン２５をＤ＋、ピン２６をＤ−、ピン２７をＧＮＤとし、ピン２４のＲｅｓｅｒｖｅｄピンをＶＢＵＳとして利用することで切り替え制御を行う。なお、ｔｙｐｅＢの場合、ピン２３もＲｅｓｅｒｖｅｄピンとして規定されているため、ピン２３を切り替え制御のために使用してもよい。更に、図１０に示すように、ＨＤＭＩ規格のｔｙｐｅＣコネクタに基づく複合ＨＤＭＩケーブル２０８を使用してもよい。この場合、ピン１５をＤ＋、ピン１６をＤ−、ピン１３をＧＮＤとし、ピン１７のＲｅｓｅｒｖｅｄピンをＶＢＵＳとして利用することで切り替え制御を行う。
【００５８】
図１１は、ＤＤＣ通信チャネルのための信号線を、ＨＤＭＩ規格による使用からＵＳＢ規格による使用へ切り替える処理の流れを示すフローチャートである。本フローチャートの処理は、ＵＳＢホストであるＴＶ２０７が、ユーザなどからＵＳＢの利用要求を受け付けると、開始する。なお、図１１において、図５と同様の処理を行うステップには同一の符号を付し、説明を省略する。
【００５９】
Ｓ３２で、ＴＶ２０７のＣＰＵ２０６はセレクタ２０５を制御し、Ｒｅｓｅｒｖｅｄピンをアサートする。
【００６０】
Ｓ３３で、セレクタ２０４はＲｅｓｅｒｖｅｄピンのアサートを検知すると、ＤＤＣ通信チャネルのための信号線を、ＨＤＭＩ規格による使用からＵＳＢ規格による使用へ切り替える。この段階で、ＴＶ２０７は、ＵＳＢ規格に従う通信を実行可能な状態となる。
【００６１】
一方、デジタルカメラ２０１のセレクタ２０３は、Ｓ３４で、複合ＨＤＭＩケーブル２０８を介してＲｅｓｅｒｖｅｄピンがアサートされるまで待つ。
【００６２】
Ｒｅｓｅｒｖｅｄピンがアサートされると、Ｓ３５で、セレクタ２０３は、ＤＤＣ通信チャネルのための信号線を、ＨＤＭＩ規格による使用からＵＳＢ規格による使用へ切り替える。この段階で、デジタルカメラ２０１も、ＵＳＢ規格に従う通信を実行可能な状態となる。
【００６３】
以降は通常のＵＳＢ規格に従って、ＴＶ２０７とデジタルカメラ２０１とは相互に通信を行うことができる。
【００６４】
逆の切り替え手順として、図１２にＵＳＢデータ線からＤＤＣ制御線への切り替え制御フローチャートを示す。
【００６５】
図１２は、ＤＤＣ通信チャネルのための信号線を、ＵＳＢ規格による使用からＨＤＭＩ規格による使用へ切り替える処理の流れを示すフローチャートである。即ち、図１２は、図１１とは逆の処理を示す。なお、図１２において、図６と同様の処理を行うステップには同一の符号を付し、説明を省略する。
【００６６】
Ｓ４２で、ＴＶ２０７のＣＰＵ２０６はセレクタ２０５を制御し、Ｒｅｓｅｒｖｅｄピンをネゲートする。
【００６７】
Ｓ４３で、セレクタ２０４はＲｅｓｅｒｖｅｄピンのネゲートを検知すると、ＤＤＣ通信チャネルのための信号線を、ＵＳＢ規格による使用からＨＤＭＩ規格による使用へ切り替える。この段階で、ＴＶ２０７は、ＵＳＢ規格に従う通信が実行不可能になり、ＨＤＭＩ規格に従うＤＤＣ通信チャネルを介した通信が可能になる。
【００６８】
一方、デジタルカメラ２０１のセレクタ２０３は、Ｓ４４で、複合ＨＤＭＩケーブル２０８を介してＲｅｓｅｒｖｅｄピンがネゲートされるまで待つ。
【００６９】
Ｒｅｓｅｒｖｅｄピンがネゲートされると、Ｓ４５で、セレクタ２０３は、ＤＤＣ通信チャネルのための信号線を、ＵＳＢ規格による使用からＨＤＭＩ規格による使用へ切り替える。この段階で、デジタルカメラ１０１も、ＵＳＢ規格に従う通信が実行不可能になり、ＨＤＭＩ規格に従うＤＤＣ通信チャネルを介した通信が可能になる。
【００７０】
このようにＲｅｓｅｒｖｅｄピンを利用する場合には、擬似的なＵＳＢケーブルの挿抜を実現し、Ｒｅｓｅｒｖｅｄピンを介した電力の供給が可能となるため、ＵＳＢバスパワーの利用が可能となる。
【００７１】
また、第１の実施形態とは異なり、ＨＤＭＩのＣＥＣ信号線を利用しないため、ＣＥＣ通信を妨げることなく、またＣＥＣ命令の拡張を行うことなく、ＵＳＢ規格の利用が可能となる。
【００７２】
また、デジタルカメラ２０１やＴＶ２０７がＵＳＢの機能を具備していない場合にも複合ＨＤＭＩケーブル２０８は使用可能であり、通常通りＨＤＭＩ規格の通信を実行可能である。
【００７３】
なお、ＴＶ２０７とデジタルカメラ２０１いずれかの電源投入直後、もしくは複合ＨＤＭＩケーブル２０８による接続直後は、セレクタ２０５はＲｅｓｅｒｖｅｄピンをネゲートした状態であるものとする。これにより、複合ＨＤＭＩケーブル２０８に対応していない機器は、従来通り、ＨＤＭＩ規格に従う通信が可能である。
【００７４】
以上説明したように、本実施形態によれば、通信デバイスとしてのデジタルカメラ２０１（及びＴＶ２０７）は、ＨＤＭＩ規格の予約された信号線（Ｒｅｓｅｒｖｅｄピン）をＶＢＵＳ信号線として使用する。
【００７５】
これにより、ＵＳＢバスパワーを利用することが可能になる。
【００７６】
［第３の実施形態］
第１の実施形態、及び第２の実施形態では、通信デバイスとしての、デジタルカメラ及びＴＶについて説明した。ところで、デジタルカメラ及びＴＶのうちの一方が、本発明に係る通信デバイスでなく、ＨＤＭＩ規格の通信Ｉ／ＦとＵＳＢ規格の通信Ｉ／Ｆとを独立して備える場合、第１の実施形態、及び第２の実施形態で説明した複合ＨＤＭＩケーブルを利用できない。
【００７７】
そこで、第３の実施形態では、複合ＨＤＭＩケーブルを、独立したＨＤＭＩケーブルとＵＳＢケーブルとに変換する、変換アダプタについて説明する。
【００７８】
図１３は、複合ＨＤＭＩケーブル１１９（第１の実施形態に対応）を独立したＨＤＭＩケーブルとＵＳＢケーブルとに変換する、変換アダプタ３０３の構成を示すブロック図である。図１３において、図１と同一の構成要素には同一の符号を付し、説明を省略する。
【００７９】
ＴＶ３０６は、ＨＤＭＩ規格の通信機能とＵＳＢ規格の通信機能とを備え、それぞれの規格のために独立したコネクタを備える。
【００８０】
変換アダプタ３０３は、複合ケーブルコネクタ３０１（第１コネクタ）と、ＨＤＭＩコネクタ３０５（第２コネクタ）と、ＵＳＢコネクタ３０７（第３コネクタ）とを備える。複合ケーブルコネクタ３０１は、デジタルカメラ１０１を第１通信デバイスとして接続する。また、ＨＤＭＩコネクタ３０５は、ＨＤＭＩ規格に従うＴＶ３０６の通信デバイス（第２通信デバイス）を接続し、ＵＳＢコネクタ３０７は、ＵＳＢ規格に従うＴＶ３０６の通信デバイス（第３通信デバイス）と接続する。
【００８１】
変換アダプタ３０３はまた、第１の実施形態で説明した、ＣＥＣの拡張コマンドである「ＵＳＢ利用要求コマンド」及び「ＵＳＢ停止要求コマンド」を解釈するＣＥＣ解釈部３０２を備える。また、複合ケーブルコネクタ３０１のＤＤＣ通信チャネルのための信号線を、ＨＤＭＩコネクタ３０５のＤＤＣ通信チャネルのための信号線とＵＳＢコネクタ３０７のデータ通信のための信号線とのうちのいずれか一方と接続する、セレクタ３０４を備える。
【００８２】
変換アダプタ３０３のＣＥＣ解釈部３０２は、デジタルカメラ１０１からＣＥＣ通信チャネルを介して受信した指示（ＣＥＣコマンド）に従い、セレクタ３０４による接続先の切り替えを行う。具体的には、ＣＥＣ解釈部３０２が「ＵＳＢ利用要求コマンド」を受信すると、セレクタ３０４は、ＤＤＣ通信チャネルのための信号線を介してＵＳＢ規格の通信を行うように切り替わる。また、ＣＥＣ解釈部３０２が「ＵＳＢ利用停止コマンド」を受信すると、セレクタ３０４は、ＨＤＭＩ規格のＤＤＣ通信チャネルを介した通信を行うように切り替わる。
【００８３】
図１４は、複合ＨＤＭＩケーブル２０８（第２の実施形態に対応）を独立したＨＤＭＩケーブルとＵＳＢケーブルとに変換する、変換アダプタ４０２の構成を示すブロック図である。図１４において、図７又は図１３と同一の構成要素には同一の符号を付し、説明を省略する。
【００８４】
変換アダプタ４０２は、デジタルカメラ２０１を第１通信デバイスとして接続する、複合ケーブルコネクタ４０１を備える。また、複合ケーブルコネクタ４０１のＤＤＣ通信チャネルのための信号線を、ＨＤＭＩコネクタ３０５のＤＤＣ通信チャネルのための信号線とＵＳＢコネクタ３０７のデータ通信のための信号線とのうちのいずれか一方と接続する、セレクタ４０３を備える。
【００８５】
セレクタ４０３は、複合ＨＤＭＩケーブル２０８のＲｅｓｅｒｖｅｄピンのための信号線の状態に基づいて、接続を切り替える。具体的には、Ｒｅｓｅｒｖｅｄピンがアサートされると、セレクタ４０３は、ＤＤＣ通信チャネルのための信号線を介してＵＳＢ規格の通信を行うように切り替わる。また、Ｒｅｓｅｒｖｅｄピンがネゲートされると、セレクタ４０３は、ＨＤＭＩ規格のＤＤＣ通信チャネルを介した通信を行うように切り替わる。
【００８６】
以上説明したように、本実施形態によれば、変換アダプタは、第１又は第２の実施形態に係る複合ＨＤＭＩケーブルを、独立したＨＤＭＩケーブルとＵＳＢケーブルとに変換する。
【００８７】
これにより、第１又は第２の実施形態に係る通信デバイスを、複合ＨＤＭＩケーブルを用いて、２つの通信規格それぞれに独立した通信Ｉ／Ｆを備える通信デバイスに接続することが可能となる。
【００８８】
なお、上記３つの実施形態において接続される機器は、デジタルカメラとＴＶに限定されず、ＨＤＭＩ及びＵＳＢの双方、或いは一方が使用可能な機器全てを利用できる。具体的には、ＨＤＤレコーダ、ＤＶＤレコーダ、ＰＣ、セットトップボックス、デジタルビデオカメラ、携帯電話等が挙げられる。
【００８９】
更に、第３の実施形態においては、ＨＤＭＩコネクタ３０５とＵＳＢコネクタ３０７には別々の機器を接続し、ＨＤＭＩ規格の通信とＵＳＢ規格の通信とを同時に行うことも可能である。
【００９０】
［その他の実施形態］
上述した各実施形態の機能を実現するためには、各機能を具現化したソフトウェアのプログラムコードを記録した記録媒体をシステム或は装置に提供してもよい。そして、そのシステム或は装置のコンピュータ（又はＣＰＵやＭＰＵ）が記録媒体に格納されたプログラムコードを読み出し実行することによって、上述した各実施形態の機能が実現される。この場合、記録媒体から読み出されたプログラムコード自体が上述した各実施形態の機能を実現することになり、そのプログラムコードを記録した記録媒体は本発明を構成することになる。このようなプログラムコードを供給するための記録媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００９１】
また、上述した各実施形態の機能を実現するための構成は、コンピュータが読み出したプログラムコードを実行することだけには限られない。そのプログラムコードの指示に基づき、コンピュータ上で稼動しているＯＳ（オペレーティングシステム）などが実際の処理の一部又は全部を行い、その処理によって上述した各実施形態の機能が実現される場合も含まれている。
【００９２】
更に、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって上述した各実施形態の機能が実現される場合も含むものである。
【図面の簡単な説明】
【００９３】
【図１】第１の実施形態に係る通信デバイスとしての、デジタルカメラ及びテレビ（ＴＶ）の構成を示すブロック図である。
【図２】ＨＤＭＩ規格のｔｙｐｅＡコネクタに基づく、第１の実施形態に係る複合ＨＤＭＩケーブルのピンアサインを示す図である。
【図３】ＨＤＭＩ規格のｔｙｐｅＢコネクタに基づく、第１の実施形態に係る複合ＨＤＭＩケーブルのピンアサインを示す図である。
【図４】ＨＤＭＩ規格のｔｙｐｅＣコネクタに基づく、第１の実施形態に係る複合ＨＤＭＩケーブルのピンアサインを示す図である。
【図５】第１の実施形態に係る、ＤＤＣ通信チャネルのための信号線を、ＨＤＭＩ規格による使用からＵＳＢ規格による使用へ切り替える処理の流れを示すフローチャートである。
【図６】第１の実施形態に係る、ＤＤＣ通信チャネルのための信号線を、ＵＳＢ規格による使用からＨＤＭＩ規格による使用へ切り替える処理の流れを示すフローチャートである。
【図７】第２の実施形態に係る通信デバイスとしての、デジタルカメラ及びＴＶの構成を示すブロック図である。
【図８】ＨＤＭＩ規格のｔｙｐｅＡコネクタに基づく、第２の実施形態に係る複合ＨＤＭＩケーブルのピンアサインを示す図である。
【図９】ＨＤＭＩ規格のｔｙｐｅＢコネクタに基づく、第２の実施形態に係る複合ＨＤＭＩケーブルのピンアサインを示す図である。
【図１０】ＨＤＭＩ規格のｔｙｐｅＣコネクタに基づく、第２の実施形態に係る複合ＨＤＭＩケーブルのピンアサインを示す図である。
【図１１】第２の実施形態に係る、ＤＤＣ通信チャネルのための信号線を、ＨＤＭＩ規格による使用からＵＳＢ規格による使用へ切り替える処理の流れを示すフローチャートである。
【図１２】第２の実施形態に係る、ＤＤＣ通信チャネルのための信号線を、ＵＳＢ規格による使用からＨＤＭＩ規格による使用へ切り替える処理の流れを示すフローチャートである。
【図１３】第１の実施形態に係る複合ＨＤＭＩケーブルを独立したＨＤＭＩケーブルとＵＳＢケーブルとに変換する変換アダプタを示すブロック図である。
【図１４】第２の実施形態に係る複合ＨＤＭＩケーブルを独立したＨＤＭＩケーブルとＵＳＢケーブルとに変換する変換アダプタを示すブロック図である。
【図１】
0005344542.tif 000002
【図２】
0005344542.tif 000003
【図３】
0005344542.tif 000004
【図４】
0005344542.tif 000005
【図５】
0005344542.tif 000006
【図６】
0005344542.tif 000007
【図７】
0005344542.tif 000008
【図８】
0005344542.tif 000009
【図９】
0005344542.tif 000010
【図１０】
0005344542.tif 000011
【図１１】
0005344542.tif 000012
【図１２】
0005344542.tif 000013
【図１３】
0005344542.tif 000014
【図１４】
0005344542.tif 000015